【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
美容処置において用いられる美的イメージング及び処置システムであって、
前記システムは、ハンド棒を備えており、
前記ハンド棒は、
超音波イメージングを提供するための超音波イメージング機能を操作可能に制御する第１制御デバイスと、
超音波処置を提供するための超音波処置機能を操作可能に制御する第２制御デバイスと、
各熱損傷の直線状のシーケンスにおいて超音波処置を方向付けするように構成された動作機構と、
少なくとも第１及び第２の取り外し可能なトランスデューサモジュールと、
を備え、
前記第１及び第２トランスデューサモジュールは、超音波イメージングと超音波処置との両方のために構成されており、
前記第１及び第２トランスデューサモジュールは、前記ハンド棒に取り替え可能に接続されるように構成され、
前記第１トランスデューサモジュールは、組織の第１層に超音波治療を施すように構成され、
前記第２トランスデューサモジュールは、組織の第２層に超音波治療を施すように構成され、当該組織の第２層は、前記組織の第１層とは異なる深さにあり、
前記第１及び第２トランスデューサモジュールは、前記第１制御デバイス、前記第２制御デバイス、及び前記動作機構の少なくとも一つと操作可能に接続されるように構成されている、システム。
【請求項２】
組織の第３層に超音波治療を施すように構成された第３トランスデューサモジュールをさらに備え、前記組織の第３層が、前記組織の第１又は第２層とは異なる深さにある、請求項１に記載の美的イメージング及び処置システム。
【請求項３】
前記動作機構は、前記各熱損傷間の変化する間隔を提供するためにプログラムされるように構成されている、請求項１または２に記載の美的イメージング及び処置システム。
【請求項４】
前記動作機構は、液密シールを通して移動するように構成されている、請求項１から３のいずれかに記載の美的イメージング及び処置システム。
【請求項５】
前記各熱損傷は、離散している、請求項１から４のいずれかに記載の美的イメージング及び処置システム。
【請求項６】
前記各熱損傷の直線状のシーケンスが、約０．０１ｍｍ〜約２５ｍｍの範囲の処置間隔を有している、請求項１から５のいずれかに記載の美的イメージング及び処置システム。
【請求項７】
前記美容処置は、顔リフト、眉リフト、顎リフト、シワ低減、傷跡低減、入れ墨除去、静脈切除、日焼けの除去、及びニキビ処置の少なくとも一つである、請求項１から６のいずれかに記載の美的イメージング及び処置システム。
【請求項８】
前記第１及び第２制御デバイスは、ユーザが操作するボタン又はキーを備えている、請求項１から７のいずれかに記載の美的イメージング及び処置システム。
【請求項９】
コントロールモジュールをさらに備え、
前記第１及び第２制御デバイスの少なくとも一つが前記コントロールモジュールによって起動され、
前記コントロールモジュールは、前記第１及び第２トランスデューサモジュールを制御するためのプロセッサ及びグラフィック・ユーザ・インターフェースを備えている、請求項１から８のいずれかに記載の美的イメージング及び処置システム。
【請求項１０】
皮膚表面の下方で処置される組織の全体の量を増加させるために、前記組織の第１層及び第２層は、前記皮膚表面の単一の領域の下方において異なる深さにあり、これによって、全体的な美容の結果を向上させる、請求項１から９のいずれかに記載の美的イメージング及び処置システム。
【請求項１１】
美容目的のための皮膚の引き締めに用いる、請求項１から１０のいずれかに記載の美的イメージング及び処置システム。
【請求項１２】
超音波処置を提供する超音波処置機能を制御可能な制御デバイスと、
各熱損傷の直線状のシーケンスにおいて超音波処置を方向付けするように構成されたハンド棒であって、少なくとも取り外し可能な第１及び第２トランスデューサモジュールを備えているハンド棒と、
を備え、
前記第１及び第２トランスデューサモジュールは、音響透過部材を伴う、密閉され液体で満たされたハウジングを備え、当該密閉されたハウジングは、前記音響透過媒体と流体連結媒体を介して音響により連結された、流体連結媒体と少なくとも一つの超音波トランスデューサとを有し、
前記第１及び第２トランスデューサモジュールは、前記ハンド棒に対して交換可能に構成され、
前記第１トランスデューサモジュールは、第１の一定の深さにおける組織の第１層に対して超音波治療を施すように構成されており、
前記第２トランスデューサモジュールは、第２の一定の深さにおける組織の第２層に対して超音波治療を施すように構成され、当該組織の第２層は前記組織の第１層とは異なる深さにあり、
前記第１及び第２トランスデューサモジュールは、前記制御デバイスに対して操作可能に接続されている、処置システム。
【請求項１３】
前記ハンド棒は、各熱損傷の直線状のシーケンスにおいて前記超音波処置を方向付けするように構成された動作機構をさらに備えており、
前記動作機構は、前記第１及び第２トランスデューサモジュールを取り外し可能に接続するように構成されている、請求項１２に記載の処置システム。
【請求項１４】
前記ハンド棒は、前記組織の第１層においてイメージングするように構成されている、請求項１２または１３に記載の処置システム。
【請求項１５】
前記第１トランスデューサモジュールは、２以上のトランスデューサを備えている、請求項１２から１４のいずれかに記載の処置システム。
【請求項１６】
前記動作機構は、前記超音波治療を施すように構成された少なくとも１つの治療の変換素子に機械的に取り付けられている、請求項１３から１５のいずれかに記載の処置システム。
【請求項１７】
前記動作機構は、前記ハンド棒と前記第１及び第２トランスデューサモジュールとの間に設けられた磁気連結器を備えている、請求項１３から１６のいずれかに記載の処置システム。
【請求項１８】
前記動作機構は、前記超音波治療を方向付ける動作部材の制御された動作のためのヨークを備えている、請求項１３から１７のいずれかに記載の処置システム。
【請求項１９】
前記動作機構は、液密シールを通って操作されるように構成されている、請求項１３から１８のいずれかに記載の処置システム。
【請求項２０】
制御モジュールをさらに備え、
前記第１制御デバイス及び第２制御デバイスの少なくとも一方が、前記制御モジュールによって起動され、
前記制御モジュールは、プロセッサと、前記第１及び第２トランスデューサモジュールを制御するグラフィック・ユーザ・インターフェースとを備えている、請求項１２から１９のいずれかに記載の処置システム。
【請求項２１】
第３の一定の深さにおける組織の第３層に、超音波治療を施すように構成された第３トランスデューサをさらに備え、前記組織の第３層が、前記組織の第１または第２層とは異なる深さにある、請求項１２から２０のいずれかに記載の処置システム。
【請求項２２】
前記第１トランスデューサモジュールは、少なくとも２つの変換素子を備えている、請求項１２から２１のいずれかに記載の処置システム。
【請求項２３】
前記動作機構は、前記各熱損傷間の変化する間隔を提供するためにプログラムされるように構成されている、請求項１３から２２のいずれかに記載の処置システム。
【請求項２４】
前記各熱損傷は離散している、請求項１２から２３のいずれかに記載の処置システム。
【請求項２５】
前記各熱損傷の直線状シーケンスが、約０．０１ｍｍ〜約２５ｍｍの範囲の処置スペースを有している、請求項１２から２４のいずれかに記載の処置システム。
【請求項２６】
前記第１及び第２制御デバイスは、ユーザに操作されるボタン又はキーを備えている、請求項１２から２５のいずれかに記載の処置システム。
【請求項２７】
前記組織の第１層及び第２層は、皮膚表面の下方で処置される組織の全体量を増加させるため、前記皮膚表面の単一の領域の下方で、異なる深さにあり、これによって、全体的な美容の結果を促進する、請求項１２から２６のいずれかに記載の処置システム。
【請求項２８】
顔リフト、眉リフト、顎リフト、シワ低減、傷跡低減、入れ墨除去、静脈切除、日焼け後の除去、ニキビ処置、非侵襲的処置、たるんだ皮膚の処置、及び脂肪組織の処置のいずれかを処置可能である、請求項１２から２７のいずれかに記載の処置システム。